(57)【要約】【課題】植物を手軽に植え替えたり、移動したりすることができ、専門業者でない一般人が屋上等に容易に施工できる植栽用品をユニット化することによって、屋上庭園或いは屋上菜園を容易かつ安価に行うことができる植栽ユニットを提供する。【解決手段】植物７の根部８を個別に植え替えることができる筒形のポット部３を１個又は複数個備えたトレー２と、該トレー２の単体又は組み合わせ構造の周囲に設ける見切り材４の形状及び寸法を規格化することによって、トレー２と見切り材４との組み合わせ構造をユニット化したものである。【選択図】図１
2004033087.tif 000002
【特許請求の範囲】
【請求項１】
植物の根部を個別に植え替えることができる筒形のポット部を１個又は複数個備えたトレーと、該トレーの単体又は組み合わせ構造の周囲に設ける見切り材の形状及び寸法を規格化することによって、前記トレーと前記見切り材との組み合わせ構造をユニット化したことを特徴とする植栽ユニット。
【請求項２】
前記トレーの夫々のポット部は通水孔を有する有底形状であることを特徴とする請求項１記載の植栽ユニット。
【請求項３】
前記トレーの下部に保水材と防根シートとを設けたことを特徴とする請求項１又は２記載の植栽ユニット。
【請求項４】
後段に配置したトレーを前段に配置したトレーよりも高くしたことによって多段式のユニット構造としたことを特徴とする請求項１、２又は３記載の植栽ユニット。
【請求項５】
前記見切り材の内方に前記トレーのほかに池等の庭園用品をユニット化して組み合わせるようにしたことを特徴とする請求項１、２、３又は４記載の植栽ユニット。
【発明の詳細な説明】
【０００１】
【発明の属する技術分野】
本発明は、草花或いは樹木等による屋上緑化を可能とし、菜園にも利用し得る植栽用品に係るもので、ユニット化された用品を組立てるだけで、一般人にも簡単に施工することができる植栽ユニットに関する。
【０００２】
【従来の技術】
近年、建物の屋上やベランダ等のコンクリート面に対する緑化を推進することが行われている。このような屋上緑化は都市環境を改善し、省エネ、地球環境の改善にまで好影響を及ぼすものである。
【０００３】
ところが、上記の屋上緑化を遂行するには、建築物への荷重の影響や施工コスト等の問題、乾燥下での水分補給や保水性等の問題、さらにはコンクリート面上における養分の確保等の問題がある。
【０００４】
さらに、屋上緑化の場合、植物の種類によって用土の深さを計画する必要があるが、特に草花から樹木への植え替えを行う場合には用土が浅過ぎるという問題がある。
【０００５】
また、屋上をメンテナンスする際には植物や土壌の撤去作業を必要とし、さらには季節ごとの植え替えや配置換え等の際には植物や土壌を移動したりする作業が要求される。
【０００６】
【発明が解決しようとする課題】
本発明は、以上の事情に鑑みてなされたもので、植物を手軽に植え替えたり、移動したりすることができ、専門業者でない一般人が屋上等に容易に施工できる植栽用品をユニット化することによって、屋上庭園或いは屋上菜園を容易かつ安価に行うことができる植栽ユニットを提供することを目的とする。
【０００７】
【課題を解決するための手段】
上記の問題点を解消するために、本発明における請求項１の植栽ユニットは、植物の根部を個別に植え替えることができる筒形のポット部を１個又は複数個備えたトレーと、該トレーの単体又は組み合わせ構造の周囲に設ける見切り材の形状及び寸法を規格化することによって、前記トレーと前記見切り材との組み合わせ構造をユニット化したことを特徴とする。
【０００８】
また、本発明の請求項２の植栽ユニットは、請求項１において、前記トレーの夫々のポット部は通水孔を有する有底形状であることを特徴とする。
【０００９】
また、本発明の請求項３の植栽ユニットは、請求項１又は２において、前記トレーの下部に保水材と防根シートとを設けたことを特徴とする。
【００１０】
また、本発明の請求項４の植栽ユニットは、請求項１、２又は３において、後段に配置したトレーを前段に配置したトレーよりも高くしたことによって多段式のユニット構造としたことを特徴とする。
【００１１】
さらに、本発明の請求項５の植栽ユニットは、請求項１、２、３又は４において、前記見切り材の内方に前記トレーのほかに池等の庭園用品をユニット化して組み合わせるようにしたことを特徴とする。
【００１２】
【発明の実施の形態】
以下、本発明の実施例について図面を参照しながら説明する。
【００１３】
本発明による植栽ユニットは、図１に示すように、植物の根部を個別に入れ替えることができる筒形のポット部３を１個又は複数個備えたトレー２の形状及び寸法を規格化することにより、該トレー２の単体又は組み合わせ構造をユニット化すると共に、該トレー２の単体又は組み合わせ構造に応じてその周囲に設ける見切り材４もまたユニット化したものである。
【００１４】
このような植栽ユニットについて詳細に述べると、図１に示すトレー２の単体構造としては、例えば合成樹脂材料から成る枠形の内部に複数の仕切り３ａを形成したことによって個々のポット部３が四角形の筒形状を成すように形成している。夫々のポット部３は底部を設けない貫通状としてもよいが、有底形状５を形成することにより、夫々のポット部３に植物７の根部８の土壌９を収納した状態でトレー２を持ち上げた際にも根部８の土壌９が下方に落下しないものとすることができ、植物７をトレー２に植え付けた状態で搬入したり搬出したりする際に利便となる。
【００１５】
また、上記のように夫々のポット部３を有底形状５にした場合、その底部に図１のように網状又は多孔による通水孔６を形成するのが好ましく、こうすることによりポット部３内の土壌９に通水孔６を経て後述する保水材１０（図６参照）から水分を補給することができ、これによって植物が保水材１０に含まれる水分を吸収することが可能となる。
【００１６】
また、雨水又は散水等によって各ポット部３内の土壌９に補給した水分を底部の通水孔６を経て保水材１０側に逃がすことにより、加水による根腐りを防止することができる。
【００１７】
なお、各ポット部３の内径形状は、四角形のほかに円形その他の形状にしてもよい。いずれにしてもポット部３が個別的に仕切られているため、ポット部３内に植え付けた根部８の土壌９は周囲の仕切り３ａによってその形状を保持することができ、背の高い植物でも良好な自立性を保つことが可能となる。
【００１８】
図２に示すものは、トレー２の組み合わせ構造とその周囲に見切り材４を設けた状況を示す斜視図である。この図に示すように、単体のトレー２の外形寸法、高さ、或いは１個のトレー２に設けるポット部３の数量、内径等を様々に規格化して製造すると共に、トレー２の配置構造の周囲に規格化された見切り材４を設けることによってトレー２を目隠しすると共に、配置したトレー２の縁取りをとって見栄えをよくすることができ、さらには配置したトレー２の位置決めにも有用である。
【００１９】
上記の見切り材４としては、コンクリート、レンガ、丸太等、又はこれらを組み合わせたものを使用することができ、コンクリート等の設置面上に固定するか、又は取り外し可能にしてもよい。
【００２０】
また、図４に示すように見切り材４の結合部１１ａ、１１ｂをほぞとほぞ穴の嵌合構造にして互いに結合すると共に、両結合部１１ａ、１１ｂの挿入穴１１ｃに棒部材１２を貫通することによって取り外し自在に固定するようにしてもよい。
【００２１】
図２又は図３に示す植栽ユニットは、後段に配置したトレー２を前段に配置したトレー２よりも高くしたことによって多段式のユニット構造としてある。また、後段のトレー２はポット部３の内径と高さを高くすることによって、より大型の樹木等を植栽することができるようにしてあり、そのためポット部３の数は前段の草花用のトレー２よりは少なくしてある。
【００２２】
また、前段と後段には横に２組のトレー２、２を並べてあり、前段のトレー２と後段のトレー２との境界にも見切り材４を設けることによって、後段のトレー２の前方側面を隠すことができる。
【００２３】
上記のような多段式のユニット構造においては、各ポット部３の内径や容量を変えて形成することにより、ベランダや屋上等において、小型から大型の植物を栽培することが可能であり、変化に富んだ菜園或いは花壇を計画することができる。
【００２４】
また、トレー２又は見切り材４の数量、又は段を設けるかどうか等は自由に設定することができ、ベランダ等の狭いスペースに設置したり、広い屋上等のコンクリート面上に広範囲に設置したり、また地面上に設置することも可能である。
【００２５】
なお、見切り材４の高さをトレー２の高さよりもやや高くすることにより、図３に示すように各トレー２のポット部３の上部に敷き詰めた粒状の軽石１３が外方に零れ落ちることがないようにしてある。ただし、図３における前段のトレー２の右方は軽石１３を敷かずにトレー２の仕切り３ａの上端を露出した状態に示してある。上記のようにポット部３の土壌９の上部に軽石１３が敷き詰められることにより、土壌９の上部が乾燥状態となって雑草の種が発芽しないものとすることができる。
【００２６】
図６は本発明による施工状況を断面で示すものであり、トレー２の下部に保水材１０と防根シート１１とを設けてある。この保水材１０としては、天然軽石等を用いればよいが、敷設作業を効率的に行うために、図５に示すように、網部材による平状袋体１２に天然軽石１３を収納し、これを各トレー２の下部に敷設するようにしてもよい。
【００２７】
図６に示す断面構造は、ベランダや屋上等のコンクリートＣ等の設置面上において、見切り材４の内部に防根シート１１を敷設し、該防根シート１１の敷設面上に天然軽石等による保水材１０を設け、該保水材１０の上部に前後のトレー２、２を載置すると共に、これらのトレー２、２の下方における保水材１０中に潅水パイプ１４を設けた構造としてある。潅水パイプ１４には多数の通水孔（不図示）が設けられ、潅水パイプ１４への供給水が保水材１０に浸透する。
【００２８】
なお、不図示であるが、傾斜した屋根等に複数のトレーを設ける場合、各トレーを連結具で結合した状態にして、各トレーにずれが生じないようにするとよい。そのための連結具は、ボルト締結によるもの、金具を利用するもの等適宜に施工するとよい。このように複数のトレーを互いに接続することによって、傾斜面への設置の際の移動防止、背の高い樹木を植栽したときの転倒防止、さらには強風等によってトレーが移動するのを防止することができる。
【００２９】
また、図７に示すように、見切り材４の内方にトレー２のほかに池等の庭園用品をユニット化して設けるようにしてもよい。このようなユニット池１５を有する構造においては、屋上やベランダ等のコンクリート面上において、花壇で囲まれた池を構築することができる。このようなユニット池１５は、他のトレー２等と同様に、見切り材４の内方に設置するだけで、設置施工又は取り替え施工を簡単に行うことができる。
【００３０】
【発明の効果】
以上説明したように、本発明の植栽ユニットは、植物の根部を個別に植え替えることができる筒形のポット部を１個又は複数個備えたトレーと、該トレーの単体又は組み合わせ構造の周囲に設ける見切り材の形状及び寸法を規格化することによって、トレーと見切り材との組み合わせ構造をユニット化したものであるため、造園或いは菜園に関して素人の一般人であっても、これらのトレーと見切り材とを屋上やベランダ等のコンクリート面上に組み合わせて配置するだけで多様な庭園或いは菜園を容易かつ安価に造成することができる。
【００３１】
また、本発明の植栽ユニットは、規格化された１個のトレーに設けられるポット部の数量、又は各ポット部の容量を変えることによって大きさの異なる多様な植物や樹木の植栽に適し、またトレーの高さの異なるものを使用することによって多段形式の花壇を簡単に構成することができる。
【００３２】
また、植物の植え替えの際にも、ポット部内で一体になった土壌と植物が手で簡単に抜け出るため、季節ごとの植物の植え替え又は配置換えが容易であり、さらにトレーごとの交換が可能であるため、他所で育成した植物をトレーごと交換して入れ替えるというような計画的な植栽や花壇造りが可能となる。
【００３３】
また、トレーの配置構造の外周を見切り材で囲繞することによって、各トレーを位置決めすると共に、トレーの側面を隠して綺麗な外観を保つことができる。
【００３４】
本発明の植栽ユニットによれば、設置面の広さに応じて所定数のトレーを設置すると共に自由に拡張することが可能であり、屋上やベランダ等のコンクリートの面上に自由な広さで軽量な花壇を計画することができる。また、トレーの配置構造の周囲に見切り材を設けることによって各トレーの側部を隠すことができるため、非常に手軽かつ低コストで綺麗な花壇を構成することが可能となる。
【００３５】
また、本発明の植栽ユニットによれば、見切り材の内方にトレーのほかに池等の庭園用品をユニット化して組み合わせるようにすることができ、多様な庭園造りが可能となる。
【図面の簡単な説明】
【図１】本発明による植栽ユニットの単体構造を示す一部切欠き斜視図である。
【図２】本発明による植栽ユニットの組み合わせ構造を示す斜視図である。
【図３】本発明による植栽ユニットの組み合わせ構造の各ポット部に植栽を行い、上部に天然軽石を敷設した状況を示す斜視図である。
【図４】（ａ）及び（ｂ）は、本発明の植栽ユニットに用いる見切り材の結合部を示す斜視図である。
【図５】本発明の植栽ユニットに用いる平状袋体に収納した天然軽石の斜視図である。
【図６】本発明による植栽ユニットの組み合わせ構造の施工状況を示す断面図である。
【図７】本発明による植栽ユニットに池を設けた施工例を示す斜視図である。
【符号の説明】
２…トレー
３…ポット部
４…見切り材
５…有底形状
６…通水孔
７…植物
８…根部
９…土壌
１０…保水材
１１…防根シート
１２…平状袋体
１３…天然軽石
１４…潅水パイプ
１５…ユニット池
【図１】
2004033087.tif 000003
【図２】
2004033087.tif 000004
【図３】
2004033087.tif 000005
【図４】
2004033087.tif 000006
【図５】
2004033087.tif 000007
【図６】
2004033087.tif 000008
【図７】
2004033087.tif 000009